【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
基本モジュールＺ１、モジュールＺ２、Ｚ３、Ｚ４、Ｚ５、Ｚ６、Ｚ７、および、複数のセンサを含む、環境制御された多スパン構造の温室であって、
前記基本モジュールＺ１は、圧縮機、タンクＴ１、タンクＴ２、タンクＴａ、捕獲マニホルド、および、放出マニホルドを含み、
前記モジュールＺ２は、Ｚ１に関連するものと共に、費用効率が高い材料のアースチューブ熱交換器、および、温室用気温センサを含み、
前記モジュールＺ３は、定められた正確な設定点で温室の相対湿度を維持するために、Ｚ１およびＺ２に関連するものと共に温室用相対湿度センサを含み、
前記モジュールＺ４は、Ｚ１およびＺ６に関連するものと共に、地熱エネルギーを生成するすっきりとして清潔な自動化モジュールを含み、
前記モジュールＺ５は、Ｚ１およびＺ２に関連するものと共に、温室の二酸化炭素の従来の大気中への放出を未然に防ぐことによって、地球温暖化を改良するための温室用二酸化炭素センサを含み、
前記モジュールＺ６は、Ｚ１およびＺ４に関連するものと共に、肥料、栄養剤、作物処理ドリップまたは葉面ドージングシステム、ドリップドージング灌漑システム、噴霧器マニホルド、複数のスプリンクラーマニホルド、煙検知器、および、複数の生育培地の苗床の処理を含み、
前記モジュールＺ７は、０〜１００％取り外せる、温室の屋根用のおよび４側面用のポリエチレンフィルムが固定された、自動化回転式保温スクリーン兼用遮光材のカーテンを与え、また、樋を排除して温室内への日光によるエネルギーを増加させるための費用効率が高い具体的な手段、および、費用効率が高い一体型害虫管理を与える
ことを特徴とする環境制御された多スパン構造の温室。
【請求項２】
前記大気測候所は、日射センサ、温度センサ、相対湿度センサ、風速センサ、および、降雨検知器を含む、複数のセンサを備え、前記測候所のセンサは、前記測候所の風速センサが通常の風速を超える風速を感知する時、前記測候所の降雨検知器が雨を検知する時、または、前記測候所の温度センサが０℃に近づく大気温を感知する時、屋根用の自動化回転式保温スクリーン兼用遮光材の外部カーテンをオフになるように作動させる
請求項１に記載の環境制御された多スパン構造の温室。
【請求項３】
前記モジュールＺ１の前記圧縮機は、捕獲マニホルドが捕獲した、夜間の二酸化炭素の豊富な温室の空気、および、日照時の酸素が豊富な空気を圧縮し、圧縮された夜間の二酸化炭素が豊富な温室の空気または日照時の酸素が豊富な温室の空気は、操作Ｔ１またはＴ２において圧縮されかつ収容され、温室の相対湿度センサは、操作Ｔ１またはＴ２において設定点までで温室の相対湿度を維持する最適な除湿のために水分含有量を排水するために、または、操作Ｔ１またはＴ２においてほとんど乾燥した空気を維持するように全水分含有量を排水するために、操作Ｔ１またはＴ２において水分排水弁をオンになるように作動させる
請求項１に記載の環境制御された多スパン構造の温室。
【請求項４】
前記モジュールＺ２は、４つの別個のコンパートメントを有する前記費用効率が高い材料のアースチューブ熱交換器を備え、第１のコンパートメントＥｃは、操作Ｔ１またはＴ２において（二酸化炭素が豊富な除湿された）温室の空気を収容し、第２のコンパートメントＥｏは、操作Ｔ１またはＴ２において（酸素が豊富な除湿された）温室の空気を収容し、第３のコンパートメントＥｃｄは、操作Ｔ１またはＴ２において（二酸化炭素が豊富なほとんど乾燥した）温室の空気を収容し、第４のコンパートメントＥｏｄは、操作Ｔ１またはＴ２において（酸素が豊富なほとんど乾燥した）温室の空気を収容する
請求項１に記載の環境制御された多スパン構造の温室。
【請求項５】
高温の場所において、前記温室用気温センサは、圧縮機、捕獲マニホルドおよび放出マニホルドの事態を同時に生じさせて気化冷房をオンになるように作動させ、前記捕獲マニホルドは、操作Ｔ１またはＴ２において圧縮されかつ収容される、夜間の二酸化炭素が豊富な温室の空気または日照時の酸素が豊富な温室の空気を捕獲し、前記温室用相対湿度センサは、操作Ｔ１またはＴ２においてほとんど乾燥した空気を維持し、操作Ｔ１またはＴ２において二酸化炭素が豊富なほとんど乾燥した空気は第３のコンパートメントＥｃｄにおいて収容され、操作Ｔ１またはＴ２において酸素が豊富なほとんど乾燥した空気は第４のコンパートメントＥｏｄにおいて収容され、前記放出マニホルドは、日照時に第３のコンパートメントＥｃｄに既に収容されているほとんど乾燥した調整された二酸化炭素が豊富な温室の空気と、夜間に第４のコンパートメントＥｏｄに既に収容されているほとんど乾燥した調整された酸素が豊富な温室の空気とを温室内に同時に放出し、最適な気化冷房を行って、定められた正確な設定点で温室の気温を維持し、温室の気温が定められた正確な設定点の温室の気温と等しい時、前記温室用気温センサは、圧縮機、捕獲マニホルドおよび放出マニホルドの事態をオフになるように作動させる
請求項１に記載の環境制御された多スパン構造の温室。
【請求項６】
前記モジュールＺ３の事態は温室の空気相対湿度によって引き起こされ、温室の空気相対湿度が定められた正確な設定点の温室の空気相対湿度より大きい時、温室用空気相対湿度センサは、圧縮機、捕獲マニホルドおよび放出マニホルドの事態をオンになるように作動させ、捕獲マニホルドは、夜間の二酸化炭素が豊富な温室の空気、または、日照時の酸素が豊富な温室の空気を捕獲して、当該空気を、操作Ｔ１またはＴ２において圧縮かつ収容し、前記温室用空気相対湿度センサは操作Ｔ１またはＴ２においてほとんど乾燥した空気を維持し、操作Ｔ１またはＴ２において二酸化炭素が豊富なほとんど乾燥した空気は、第３のコンパートメントＥｃｄにおいて収容され、操作Ｔ１またはＴ２において酸素が豊富なほとんど乾燥した空気は、第４のコンパートメントＥｏｄにおいて収容され、放出マニホルドは、日照時に第３のコンパートメントＥｃｄに既に収容されているほとんど乾燥し調整された二酸化炭素が豊富な温室の空気と、夜間に第４のコンパートメントＥｏｄに既に収容されているほとんど乾燥し調整された酸素が豊富な温室の空気とを温室内に同時に放出して、定められた正確な設定点（８０％までまたはそれより低いあるいはそれより高い）で温室の空気相対湿度を維持し、温室の空気相対湿度が定められた正確な設定点の温室の空気相対湿度と等しい時、温室用空気相対湿度センサは、圧縮機、捕獲マニホルドおよび放出マニホルドの事態をオフになるように作動させる
請求項１に記載の環境制御された多スパン構造の温室。
【請求項７】
はるかに高い作物密度、収穫高、品質、作物均一性、および、早期の収穫がもたらされ、温室用被覆フィルムおよび樋内面上には結露もミストもなく、植物上に滴り落ちる水滴はなく、植物は損傷されず、温室内に深い霧はなく、光透過率は低減されず、病気、微生物、バクテリア、病原体、菌、ウィルス感染、有害生物、害虫にはほんのわずか煩わされるだけであり、有毒の作物保護剤の使用を不要にし、当該作物保護剤およびそれを噴霧する労働者の相当な費用を節約し、労働者の健康被害を無くし、無毒の食糧生産を行う
請求項１に記載の環境制御された多スパン構造の温室。
【請求項８】
前記モジュールＺ４は、２つの同一の地熱タンクである第１の新規ドージングタンクおよび第２の使用済みドージングタンク、熱風タンク、ならびに、二酸化炭素タンクを含む自動化された地熱エネルギーの自然の力を利用するモジュールを含み、モジュールＺ４は、ある季節に限ってまたは全ての季節で大半は低温または氷点下の低温の場所において、非常に費用効率が高い温室の補助暖房を与え、かなりの大気汚染物質も排出し、その多くがまた地球温暖化を悪化させる化石燃料を燃やす、従来の熱エネルギーの費用をかなり大幅に節約し、Ｚ４の地熱の熱エネルギーはほとんど費用がかからず、日照時の受精のための二酸化炭素にほとんど費用がかからずに、非常に費用効率が高い食糧生産、および、高品質の滅菌された生育培地兼用コンポストに対する収穫高を最適化する
請求項１に記載の環境制御された多スパン構造の温室。
【請求項９】
前記モジュールＺ６は、活性化肥料および栄養剤の溶液を使用することによって、それらの使用および費用は、ドリップドージングでは５０％まで、葉面ドージングでは７５％まで低減する
請求項１に記載の環境制御された多スパン構造の温室。
【請求項１０】
前記モジュールＺ６は、ドリップマニホルドおよびタンクＴＮＤＴを含み、当該タンクＴＮＤＴにおいて、肥料、栄養剤、作物処理溶液混合、活性化およびドリップドージングが行われ、押しボタン式信号による手動の新規のドージングの事態（重量または容積）後、モジュールＺ６によって、後続の操作全ては、堆積物収集タンク内へ堆積物を流し出す事態が終わるまで、完全に自動化されている
請求項１に記載の環境制御された多スパン構造の温室。
【請求項１１】
前記モジュールＺ６は、噴霧器マニホルドおよびタンクＴＮＦＴを含み、当該タンクＴＮＦＴにおいて、肥料、栄養剤および作物処理溶液混合、活性化および葉面ドージングが行われ、押しボタン式信号による手動の新規のドージングの事態（重量または容積）後、モジュールＺ６によって、後続の操作全ては、堆積物収集タンク内へ堆積物を流し出す事態が終わるまで、完全に自動化されている
請求項１に記載の環境制御された多スパン構造の温室。
【請求項１２】
前記モジュールＺ６は、従来の生育培地バッグの代わりに生育培地の苗床を使用することによって、収穫高はほぼ２倍になり、バッグの利点全てをはるかに低い費用で実現することができ、さらに、他の必要性、すなわち、作物根帯の通気も満たし、作物根帯の温度を定められた設定点で維持し、バッグを与えなくても、排水される浸出液の自動的な収集が実現され、また、生育培地バッグの費用を大幅に節約する
請求項１に記載の環境制御された多スパン構造の温室。
【請求項１３】
定められた日照時間および間隔で、前記大気日射センサは、屋根用の自動化回転式保温スクリーンおよび遮光材の外部カーテンをオフになるように作動させ、前記カーテンが実際に完全にオフになると、大気日射センサは、屋根、切妻および長い側面のスプリンクラーマニホルドをオンになるように作動させて、温室用被覆フィルムの全ての外面上に加圧水をかけて、全ての埃／塵を洗い落とすことで光透過率が低減されない
請求項１に記載の環境制御された多スパン構造の温室。
【請求項１４】
前記モジュールＺ７は保温スクリーン兼用遮光材を提供し、当該保温スクリーン兼用遮光材の外面および内面は、温室の内部温度環境と大気温環境との間の固体障壁であり、当該固体障壁は、大気中に放たれようとする温室の熱風または冷風を吸収しかつ保ち、温室内に入り込もうとする大気の熱風または冷風も吸収しかつ保ち、このことは、ある季節に限って、または、ほとんど全ての季節において、大半は高温の場所および大半は低温または氷点下の低温の場所全てに対して解決法を１つにする
請求項１に記載の環境制御された多スパン構造の温室。
【請求項１５】
ある季節に限って、または、ほとんど全ての季節において、大半は低温または氷点下の低温の場所では、生命は存在するが、日光によるエネルギーはかなり不十分であり、前記モジュールＺ７は、食糧生産のために、温室内への、かなり不十分な日光によるエネルギーを人工照明エネルギーと共に増加させて最適にするための費用効果が高い具体的な手段を備える、および／または、具体的な方法によるものである
請求項１に記載の環境制御された多スパン構造の温室。